(57)【要約】【課題】ソファ、ベッドあるいはカウチソファなど、種々の使い方が可能な多機能ソファを提供することにある。【解決手段】フレーム１１の台座部１１３に下部クッション１２が取り付けられると共に、台座部１１３の後部に立設された支柱１１４上に、上部クッション１３が、下部クッション１２から浮上した状態に取り付けられたソファ本体１と、別体クッション４からなり、この別体クッション４は、一部を下部クッション１２と上部クッション１３との間に挿入することが可能である。下部クッション１２は、腰掛け部と寝台を兼ねる部分であり、別体クッション４は、背もたれにしたり枕にすることができ、上部クッション１３は、背もたれや別体クッションの支持手段とすることができる部分である。【選択図】図１
2007029134.tif 000002
【特許請求の範囲】
【請求項１】
フレームの台座部に下部クッションが取り付けられると共に、前記台座部の後部に立設された支柱上に、上部クッションが、前記下部クッションから浮上した状態に取り付けられたソファ本体と、前記下部クッション上の任意の位置に載置可能な別体クッションからなり、この別体クッションは、一部を前記下部クッションと上部クッションとの間に挿入することが可能であって、この挿入状態では挿入端部と反対側を前記下部クッションの正面端部と上部クッションの正面端部との間に位置させることが可能であることを特徴とする多機能ソファ。
【請求項２】
ソファ本体と並べて使用するスツールを備え、このスツールは前記ソファ本体の下部クッションと略同等の高さの下部クッションを有することを特徴とする請求項１に記載の多機能ソファ。
【請求項３】
下部クッション、上部クッション及び別体クッションが着脱可能の張地で被包されたことを特徴とする請求項１に記載の多機能ソファ。
【請求項４】
上部クッションが、水平方向に扁平であることを特徴とする請求項１に記載の多機能ソファ。
【発明の詳細な説明】
【技術分野】
【０００１】
本発明は、組合せの形態によって、ソファ、ベッド、カウチソファなど、種々の使い方が可能な多機能ソファに関する。
【背景技術】
【０００２】
ソファは一般に、フレームに布張りあるいは革張りの座部クッション及び背部クッションを有し、使用者が、リラックスした姿勢で腰掛けるものであるが、従来から、このようなソファ本来の利用目的のほかに、背部を水平に倒すことによってベッドとして利用することのできるようにしたものが知られている（例えば下記の特許文献参照）。
【特許文献１】特開２００５−２７８号公報
【特許文献２】特開平１０−２７６８６３号公報
【０００３】
しかしながら、上記特許文献に記載のような従来のソファ兼用ベッドは、ソファの背部を可動にするため、構造が複雑になり、また、ソファ及びベッド以外の手段としての利用が困難であった。
【発明の開示】
【発明が解決しようとする課題】
【０００４】
本発明は、以上のような点に鑑みてなされたものであって、その技術的課題とするところは、ソファ、ベッドあるいはカウチソファなど、種々の使い方が可能な多機能ソファを提供することにある。
【課題を解決するための手段】
【０００５】
上記課題を有効に解決するための手段として、請求項１の発明に係る多機能ソファは、フレームの台座部に下部クッションが取り付けられると共に、前記台座部の後部に立設された支柱上に、上部クッションが、前記下部クッションから浮上した状態に取り付けられたソファ本体と、前記下部クッション上の任意の位置に載置可能な別体クッションからなり、この別体クッションは、一部を前記下部クッションと上部クッションとの間に挿入することが可能であって、この挿入状態では挿入端部と反対側を前記下部クッションの正面端部と上部クッションの正面端部との間に位置させることが可能であることを特徴とするものである。
【０００６】
この構成において、下部クッションは、腰掛け部と寝台を兼ねる部分であり、別体クッションは、ソファ本体をソファとして利用する際に、上部クッションに立てかけることによって背もたれにしたり、ソファ本体をベッドあるいはカウチソファとして利用する際に、下部クッション上に置くことによって枕にすることができるものであり、上部クッションは、背もたれや別体クッションの支持手段とすることができる部分である。特に、別体クッションは、一部を前記下部クッションと上部クッションとの間に挿入した状態では、その挿入端部と反対側を前記下部クッションの正面端部と上部クッションの正面端部との間に位置させることによって、使用者が、これら上部クッション、別体クッション及び下部クッションの正面端部上に、上半身を斜めに横たえることができる。
【０００７】
請求項２の発明に係る多機能ソファは、請求項１に記載の構成において、ソファ本体と並べて使用するスツールを備え、このスツールは前記ソファ本体の下部クッションと略同等の高さの下部クッションを有するものである。
【０００８】
請求項３の発明に係る多機能ソファは、請求項１に記載の構成において、下部クッション、上部クッション及び別体クッションが着脱可能の張地で被包されたことを特徴とするものである。
【０００９】
請求項４の発明に係る多機能ソファは、請求項１に記載の構成において、上部クッションが、水平方向に扁平であると共に平面形状が略長方形をなすことを特徴とするものである。
【発明の効果】
【００１０】
請求項１の発明に係る多機能ソファによれば、ソファ本体上での使用者の姿勢や方向によって、下部クッションが腰掛け手段となったり寝台になったりし、別体クッションがその配置によって背もたれになったり枕になったりし、上部クッションが背もたれや別体クッションの支持手段、あるいは枕となるので、ヒンジなどの可動部分を設けることなくソファ、ベッドあるいはカウチソファなどとして、種々の使い方が可能となる。また、別体クッションは、一部を前記下部クッションと上部クッションとの間に挿入することによって、不用意に脱落したりずれたりするのを防止することができ、使用者が、これら上部クッション、別体クッション及び下部クッションの正面端部上に、上半身を斜めに横たえて寛ぐのに便利である。
【００１１】
請求項２の発明に係る多機能ソファによれば、請求項１による効果に加え、スツールを組み合わせることによって、着座姿勢やカウチスタイルのバリエーションを増やすことができ、使い勝手が一層向上する。
【００１２】
請求項３の発明に係る多機能ソファによれば、請求項１による効果に加え、下部クッション、上部クッションあるいは別体クッションの張地が汚れた場合にこれを取り外して洗ったり、張地を新しいものと交換したり、材質や色などの異なるものと交換することができる。
【００１３】
請求項４の発明に係る多機能ソファによれば、請求項１による効果に加え、上部クッションを、背もたれや別体クッションの支持手段、あるいは枕としての機能のほか、使用者が下部クッション上に寝そべった時に小物などを置く台として利用することができるので、使い勝手が一層向上する。
【発明を実施するための最良の形態】
【００１４】
以下、本発明に係る多機能ソファの好ましい実施の形態について、図面を参照しながら説明する。図１は、二人掛けソファ本体１を示す三角法投影図、図２は、一人掛けソファ本体２を示す三角法投影図、図３は、スツール３を示す三角法投影図、図４は、別体クッション４を示す斜視図、図５は、下部クッション用張地５を下面側から見た斜視図である。
【００１５】
この形態による多機能ソファは、図１に示される二人掛けソファ本体１と、図２に示される一人掛けソファ本体２と、図３に示されるスツール３と、図４に示される別体クッション４とを備える。
【００１６】
まず図１に示される二人掛けソファ本体１は、左右一対の前脚１１１及び左右一対の後脚１１２に支持された台座部１１３を有すると共にこの台座部１１３の後部に略鉛直に立設され前記後脚１１２と連続した左右一対の支柱１１４を有する金属製のフレーム１１と、前記台座部１１３の上面に取り付けられた下部クッション１２と、この下部クッション１２の後部から高さｈだけ浮上した状態で支柱１１４の上に取り付けられた上部クッション１３とからなる。支柱１１４，１１４の間には、下部クッション１２と上部クッション１３の間の高さに位置して、桟１１５が水平に架設されている。
【００１７】
下部クッション１２は、平面投影形状が略長方形をなし、幅ｘ１２が例えば180ｃｍ、奥行ｙ１２が例えば80ｃｍ程度となっており、上部クッション１３は、幅ｘ１３が下部クッション１２の幅ｘ１２よりもやや小さく、奥行ｙ１３が例えば30ｃｍ程度であり、厚さｚ１３は15ｃｍ程度であり、すなわちこの上部クッション１３は、水平方向に扁平な形状となっている。また、下部クッション１２の上面と上部クッション１３の下面との間の高さｈ１は15ｃｍ程度であり、フレーム１１の支柱１１４から正面側への上部クッション１３の張出寸法Δｙ１３は30ｃｍ程度となっている。なお、これらの寸法は一例であって、これに限定されるものではないことは勿論である。
【００１８】
図２に示される一人掛けソファ本体２も、基本的に図１の二人掛けソファ本体１と同様であって、左右一対の前脚２１１及び左右一対の後脚２１２に支持された台座部２１３を有すると共にこの台座部２１３の後部に略鉛直に立設され前記後脚２１２と連続した左右一対の支柱２１４を有する金属製のフレーム２１と、前記台座部２１３の上面に取り付けられた下部クッション２２と、この下部クッション２２の後部から浮上した状態で支柱２１４の上に取り付けられた上部クッション２３とからなる。フレーム２１における支柱２１４，２１４の間には、下部クッション２２と上部クッション２３の間の高さに位置して、桟２１５が水平に架設されている。
【００１９】
この一人掛けソファ本体２における下部クッション２２の幅ｘ２２は、二人掛けソファ本体１における下部クッション１２の幅ｘ１２の半分のサイズであり、下部クッション２２の奥行ｙ２２、上部クッション２３の奥行ｙ２３及び厚さｚ２３、下部クッション２２と上部クッション２３との間の高さｈ２、フレーム２１の支柱２１４から正面側への上部クッション２３の張出寸法Δｙ２３などは、二人掛けソファ本体１における下部クッション１２の奥行ｙ１２、上部クッション１３の奥行ｙ１３及び厚さｚ１３、高さｈ１、張出寸法Δｙ１３などと同等となっている。また、下部クッション２２の座面（上面）の高さｈ２２も、二人掛けソファ本体１における下部クッション１２の座面（上面）の高さｈ１２と同じである。
【００２０】
図３に示されるスツール３は、四本の脚３１１とこれに支持された台座部３１２を有する金属製のフレーム３１と、前記台座部３１２の上面に取り付けられたクッション３２とからなる。クッション３２は、その平面投影形状が、一辺が図１に示される二人掛けソファ本体１の下部クッション１２の奥行ｙ１２（図２に示される一人掛けソファ本体２の下部クッション２２の奥行ｙ２２）と同等の略正方形状をなし、その座面の高さｈ３は、下部クッション１２，２２の座面の高さｈ１２，ｈ２２と同じである。
【００２１】
図４に斜視図で示される別体クッション４は、ポリエステル綿やウレタンフォームなどを、張地で被包したものであって、平面投影形状が略長方形をなし、長辺方向の幅ａが例えば75ｃｍ程度、短辺方向の幅ｂが例えば45ｃｍ程度、厚さｔが15ｃｍ程度となっている。すなわち、長辺方向の幅ａは、一人掛けソファ本体２の下部クッション２２の幅ｘ２２よりも僅かに小さく、短辺方向の幅ｂは、上部クッション１３，２３の張出寸法Δｙ１３，Δｙ２３より大きいが、下部クッション１２，２２の奥行ｙ１２，ｙ２２より小さい。
【００２２】
上述したソファ本体１，２の下部クッション１２，２２、上部クッション１３，２３、及びスツール３のクッション３２は、スプリングユニットやポリエステル綿やウレタンフォームを包蔵した不図示のクッション本体を、図５のような袋状に縫製した張地５で被包したものである。張地５の四方の裾部に形成された折り曲げ部５１の裏面には、その縁に沿って複数の面ファスナ５２が縫着されており、クッション本体の外周下部に縫着された不図示の面ファスナに着脱可能に係着されるようになっている。図５に示される張地５は、図１の下部クッション１２に装着されるものであるが、下部クッション２２、上部クッション１３，２３及びクッション３２に装着されるものも、同様に構成されている。
【００２３】
図６、図７及び図８は、以上のように構成された多機能ソファの使用形態を示すもので、このうち図６は、二人掛けソファ本体１と別体クッション４との組合せの一例を示す三角法投影図、図７は、一人掛けソファ本体２と別体クッション４とスツール３との組合せの一例を示す側面図、図８は、多機能ソファの配置レイアウトの例を示す斜視図である。
【００２４】
図６に示される例では、別体クッション４を、二人掛けソファ本体１の下部クッション１２上に、上部クッション１３の正面に斜めに立て掛けた状態で配置したものである。この場合、別体クッション４を置いた位置Ｐ１では、使用者は、この別体クッション４を背もたれにするが、その厚みの分だけ着座スペースが正面側へ狭められるので、比較的浅く腰掛けることができ、別体クッション４を置いていない位置Ｐ２では、使用者は、上部クッション１３を背もたれにすることによって、比較的深く腰掛けることができる。
【００２５】
また、図１に一点鎖線で示されるように、二人掛けソファ本体１の下部クッション１２上における幅方向一端に、別体クッション４を、その長辺が奥行方向となるように配置して、その一方の短辺側を、下部クッション１２と上部クッション１３との間に挿入した場合、使用者は、例えば頭あるいは頭と肩を別体クッション４に乗せた状態で、下部クッション１２上に横になり、ベッドのように使用することができる。このとき、上部クッション１３は、その上面がほぼ平坦であるから、書物など、小物を一時的に置いておくのに便利である。
【００２６】
別体クッション４は、厚さｔが15ｃｍ程度であって、ソファ本体１の下部クッション１２と上部クッション１３との間の高さｈ１とほぼ同じであるため、挿入によってちょうど嵌まり込むようになっている。このため、別体クッション４が不用意に脱落したりずれたりするのを防止することができ、下部クッション１２と上部クッション１３との間への別体クッション４の挿入量は、支柱１１４及び桟１１５によって規制及びガイドされる。
【００２７】
また、図７に示される例では、一人掛けソファ本体２の正面側にスツール３を配置し、ソファ本体２における下部クッション２２と上部クッション２３との間に、別体クッション４を、その長辺がソファ本体２における下部クッション２２の幅ｘ２２の方向とほぼ平行になるように挿入したものである。この状態では、別体クッション４が下部クッション２２と上部クッション２３との間から正面側へ張り出しているので、使用者は、例えば別体クッション４より正面側に露出した下部クッション２２の座面に腰掛けて両足をスツール３上に乗せ、上半身を上部クッション２３及び別体クッション４上に斜めに横たえて、カウチスタイルで寛ぐのに便利である。
【００２８】
更に、図８に示される配置レイアウトは、二人掛けソファ本体１と、一人掛けソファ本体２と、スツール３と、別体クッション４と、テーブル６の組み合わせの例を示している。この配置例では、平面投影形状において、二人掛けソファ本体１と一人掛けソファ本体２が、スツール３をコーナーにしてＬ字形をなすように、テーブル６の直角な二辺を囲むように配置されている。
【００２９】
この場合も、別体クッション４との組合せによっていろいろな使用形態とすることができる。また、下部クッション１２，２２、上部クッション１３，２３、クッション３２及び別体クッション４を覆っている張地５は着脱自在であるため、汚損した場合は取り外して洗ったり、新しいものと取り替えることが可能である。また、例えば下部クッション１２，２２と上部クッション１３，２３とで、互いに異なる色彩又は材質の張地５を組み合わせて用いることもできる。
【図面の簡単な説明】
【００３０】
【図１】本発明に係る多機能ソファの好ましい実施の形態における二人掛けソファ本体を示す三角法投影図である。
【図２】本発明に係る多機能ソファの好ましい実施の形態における一人掛けソファ本体を示す三角法投影図である。
【図３】本発明に係る多機能ソファの好ましい実施の形態におけるスツールを示す三角法投影図である。
【図４】本発明に係る多機能ソファの好ましい実施の形態における別体クッションを示す斜視図である。
【図５】本発明に係る多機能ソファの好ましい実施の形態における下部クッションの張地を下面側から見た斜視図である。
【図６】本発明に係る多機能ソファの好ましい実施の形態における二人掛けソファ本体と別体クッションとの組合せの一例を示す三角法投影図である。
【図７】本発明に係る多機能ソファの好ましい実施の形態における一人掛けソファ本体と別体クッションとスツールとの組合せの一例を示す側面図である。
【図８】本発明に係る多機能ソファの好ましい実施の形態における配置レイアウトの例を示す斜視図である。
【符号の説明】
【００３１】
１，２    ソファ本体
１１，２１，３１    フレーム
１１３，２１３    台座部
１１４，２１４    支柱
１１５，２１５    桟
１２，２２    下部クッション
１３，２３    上部クッション
３    スツール
４    別体クッション
５    張地
５２    面ファスナ
【図１】
2007029134.tif 000003
【図２】
2007029134.tif 000004
【図３】
2007029134.tif 000005
【図４】
2007029134.tif 000006
【図５】
2007029134.tif 000007
【図６】
2007029134.tif 000008
【図７】
2007029134.tif 000009
【図８】
2007029134.tif 000010